(57)【要約】
【課題】わずか１部品で構成され、躯体に取り付けるだけで躯体との間隔を簡単に調整することができる低コストで実用性の高い枠調整金具を提供する。
【解決手段】枠側に埋め込んだ雌ねじ体に螺合する雄ねじを外面に有し後部内面に回動工具と係合する角穴を有し躯体側に取り付けられる調整金具本体を備えた枠調整金具であり、雄ねじ筒部の先に径の拡大した座部を一体形成しており、該座部が、躯体対向面縁部より内側部位に単一の環状突条を形成していて、角穴に係合した工具の操作で取付けねじを中心として調整金具本体が回転可能である。
【選択図】図５
0003099632.tif 000002
【実用新案登録請求の範囲】
【請求項１】
　枠側に埋め込んだ雌ねじ体と、これに螺合する雄ねじを外面に有し後部内面に回動工具と係合する角穴を有し躯体側に取り付けられる調整金具本体を備えた枠調整金具において、前記調整金具本体が、雄ねじ筒部の端部に径の拡大した座部を一体形成しており、該座部が、躯体対向面縁部より内側部位に、角穴に係合した工具の操作で取付けねじを中心として回転を可能にするための単一の環状突条を形成していることを特徴とする枠調整金具。
【請求項２】
　枠側に埋め込んだ雌ねじ体と、これに螺合する雄ねじを外面に有し後部内面に回動工具と係合する角穴を有し躯体側に取り付けられる調整金具本体を備えた枠調整金具において、前記調整金具本体が、雄ねじ筒部の端部に径の拡大した座部を一体形成しており、該座部が、躯体対向面縁部に近い部位に躯体表面に食い込む環状突条を設けるとともに、該環状突条よりも内側には環状突条よりも突出高さが低く、角穴に係合した工具の操作で取付けねじを中心として回転を可能にする台部を形成していることを特徴とする枠調整金具。
【考案の詳細な説明】
【技術分野】
【０００１】
　本考案は建屋の開口部に配置される枠の調整金具に関する。
【背景技術】
【０００２】
　建屋の壁仕切り部に出入口や窓を設ける場合、仕切り部に設けた開口にあらかじめ枠を取付け、その枠に扉、戸、窓を取り付けるのを通例としている。
　この場合、枠の組付け精度が悪いと、扉、戸、窓がスムーズに動かなくなったり、体裁が悪くなったりするので、開口を構成する躯体に対して枠の立て付けを調整することが不可欠である。
【０００３】
　かかる枠の調整手段として、旧来のパッキン材に代え、枠側に雌ねじ部材を埋め込み、躯体側に前記雌ねじ部材の雌ねじと螺合する雄ねじを外面に有する調整金具本体を用い、調整金具本体の後部の角穴にレンチを嵌めて調整金具本体を回転することにより枠と一体化した雌ねじ部材を調整金具本体に軸方向に移動させ、躯体と枠の間隔を大きくあるいは小さくするようにしたものが知られている。
【０００４】
　しかし、従来の調整金具本体は、すくなくとも雄ねじ部材と受け板部材の２部材から構成され、雄ねじ部材には外周に雄ねじを設け外端内部に角穴を設け下部に外鍔を設け、受け板部材は、雄ねじ部材の外鍔に当接する面部の中央にボス部を突設し、このボス部を雄ねじ部材内に挿入し、カシメなどによって抜出不能でかつ雄ねじ部材と相対回転可能に連結されていた。
　このため、部品数が多く、各部品の製作と組み立てに時間と手間がかかるのでコストが高くなり、また、躯体に取付けた時にずれが生じやすいという問題があった。
【考案の開示】
【考案が解決しようとする課題】
【０００５】
　本考案は前記のような問題点を解消するためになされたもので、その目的とするところは、わずか１部品で構成され、躯体に取り付けるだけで躯体との間隔を簡単に調整することができる低コストで実用性の高い枠調整金具を提供することにある。
【課題を解決するための手段】
【０００６】
　上記目的を達成するため請求項１にかかる考案は、枠側に埋め込んだ雌ねじ体と、これに螺合する雄ねじを外面に有し後部内面に回動工具と係合する角穴を有し躯体側に取り付けられる調整金具本体を備えた枠調整金具において、前記調整金具本体が、雄ねじ筒部の端部に径の拡大した座部を一体形成しており、該座部が、躯体対向面縁部より内側部位に、角穴に係合した工具の操作で取付けねじを中心として回転を可能にするための単一の環状突条を形成していることを特徴としている。
【０００７】
　また、請求項２にかかる考案は、枠側に埋め込んだ雌ねじ体と、これに螺合する雄ねじを外面に有し後部内面に回動工具と係合する角穴を有し躯体側に取り付けられる調整金具本体を備えた枠調整金具において、前記調整金具本体が、雄ねじ筒部の端部に径の拡大した座部を一体形成しており、該座部が、躯体対向面縁部に近い部位に躯体表面に食い込む環状突条を設けるとともに、該環状突条よりも内側には環状突条よりも突出高さが低く、角穴に係合した工具の操作で取付けねじを中心として回転を可能にする台部を形成していることを特徴としている。
【考案の効果】
【０００８】
　本考案の請求項１によるときには、雄ねじ筒部の内部から座部を貫通して取付け用ねじを躯体にねじ込めば、座部の環状突条が躯体表面に食い込む。環状突条は座部の縁よりも内側に１本だけ設けられているので、左右上下のずれを止めるが、回転に対しては不動にさせない。
　したがって、枠の調整時に雄ねじ筒部の雄ねじに螺合させた枠側の雌ねじ体を通して角穴に工具を係合しそれを回動すれば、座部と雄ねじ筒部を一体形成している調整金具本体が、取付け用ねじを中心として躯体に対して回動するので、枠を自在に接近あるいは離間させることができる。
　しかも、回転部分としての座部が雄ねじ筒部と完全に一体成形されているので、わずか一部品ですみ、構造を極めて単純化できるとともにコストを著しく低減できる。
【０００９】
　本考案の請求項２によれば、座部の躯体対向面縁部に近い部位に躯体表面に食い込む環状突条を設けるとともに、該環状突条よりも内側には環状突条よりも突出高さが低い台部を設けているので、取付け用ねじを躯体にねじ込めば、座部の環状突条が躯体表面に食い込んで周囲へのずれ止めが図られる。
　環状突条の食い込み度合いは台部の躯体表面への接触で規制されているので、枠の調整時に雄ねじ筒部の雄ねじに螺合させた枠側の雌ねじ体を通して角穴に工具を係合しそれを回動すれば、取付け用ねじを中心として躯体に対して台部が摺動回動するので、枠を自在に接近あるいは離間させることができる。
　しかも、回転部分としての座部が雄ねじ筒部と完全に一体成形されているので、わずか一部品ですみ、構造を極めて単純化できるとともにコストを著しく低減できる。台部がというすぐれた効果が得られる。
【考案を実施するための最良の形態】
【００１０】
　枠の躯体に対する間隔調整を１部品という最小限の部品点数で実現できる。
【実施例１】
【００１１】
　以下添付図面を参照して本考案の実施例を説明する。
　図１は本考案による枠調整金具の使用状態を示しており、Ａは仕切り壁Ｂの開口を画成する木質の躯体、Ｃは躯体Ａの内側に配された枠である。１は前記枠体Ｃと躯体Ａを連結した本考案枠調整金具であり、図５のように、躯体側の調整金具本体２と、枠体側の雌ねじ体３とからなっている。
【００１２】
　本考案枠調整金具１の調整金具本体２は、図２ないし図４のように、外周に雄ねじ２０を刻設した雄ねじ筒部２ａと、これの先端に一体形成された座部２ｂとの一部品からなっている。
　前記座部２ｂは雄ねじ筒部２ａの外径から半径方向に適度に張り出すように形成されている。
【００１３】
　前記雄ねじ筒部２ａは、後端側から６角などの形状をなした角穴２１と、丸穴２２と、丸穴底の段部から座部２ｂの肉厚を貫通する通孔２３とが同心上に形成されている。通孔２３には、躯体Ａにねじ込まれる取付け用ねじ４が遊挿され、該取付け用ねじ４の頭部４０が丸穴底の段部に着座するようになっている。
【００１４】
　そして、座部２ｂの躯体対向面には、外縁から所定の距離をおいて、１つの環状突起２４が形成されている。環状突起２４は角度５５〜６０度、高さがたとえば０．５〜０．６ｍｍ程度の三角状断面となっている。
【００１５】
　雌ねじ体３は内側に前記雄ねじ筒部２ａの雄ねじ２０と螺合する雌ねじ３０を有していればどのようなものであってもよい。
　この例では一面が軸方向に対して直角面をなし他面が斜面となった抜け止めリング突条３１を多段に形成し軸方向にリング突条３１と交差する回り止め面を形成した打ち込みナットが用いられている。
【００１６】
　この第１実施例においては、調整金具本体２の雄ねじ２０をあらかじめ枠Ｃに固定されている雌ねじ体３の雌ねじ３０にねじ込み、この状態で座部２ｂの前面を躯体Ａに当接させ、取付け用ねじ４を雄ねじ筒部２ａの通孔２３を通して躯体Ａにねじ込む。これにより取付け用ねじ４のねじ込みに伴って座部２ｂは躯体表面ａに押し付けられ、環状突起２４が躯体表面ａに食い込む。これで取付けは完了する。
【００１７】
　枠Ｃの躯体Ａに対する間隔を調整する場合には、図５（ａ）のようにレンチなどの工具Ｋを、調整金具本体２の雄ねじ筒部２ａに設けられている角穴２１に嵌め、トルクを付与する。こうすれば、座部２ｂはこれの外縁よりも適度に内側の位置でかつ一条の環状突起２４部分が躯体表面ａに食い込んでいるだけであるため、前記トルクによって座部２ｂと雄ねじ筒部２ａは、取付け用ねじ４を中心として回動する。
　取付け用ねじ４は回動しないので躯体Ａに対する調整金具本体２の取り付けが緩むことはなく、環状突起２４部分が躯体表面ａに食い込んでリング状の溝ができるので、ＸおよびＹ方向へのずれ止めを図ることができる。
【００１８】
　この座部２ｂと雄ねじ筒部２ａすなわち調整金具本体２が回動することにより、雌ねじ体３は軸方向に移動され、雌ねじ体３を固着している枠Ｃは躯体Ａに対して接近あるいは後退するので、的確に調整を行なえる。
　こうして調整を終えた後は、図５（ｂ）のように雌ねじ体３の後方に設けてある枠Ｃの孔６にプラグ７を嵌めてみだりに調整金具本体２が回動されないようにすればよい。
　なお、取付け用ねじ４は、頭部の下の首部４１が長く形成され、取付け用ねじ４の頭部４０が丸穴底の段部に着座したときにちょうど首部４１の先端面が躯体表面ａに当接するようにしてもよい。こうすれば環状突起２４部分の躯体表面ａへの食い込み加減をさらに的確にすることができる。
【実施例２】
【００１９】
　図６ないし図９は本考案による調整金具本体２の別の実施例を示している。
　この調整金具本体２も、外周に雄ねじ２０を刻設した雄ねじ筒部２ａと、これの先端に一体形成された座部２ｂとの一部品からなっていることは第１実施例と同じであるが、座部２ｂの躯体対向面に、外縁に近く１つの環状突起２４が形成され、さらに、環状突起２４よりも内側には環状突起２４の高さｈ１よりも低い高さｈ２のフラット状台部２５が形成されている。
【００２０】
　環状突起２４は角度５５〜６０度、高さがたとえば０．５〜０．６ｍｍ程度の三角状断面に作られ、フラット状台部２５は高さがたとえば０．２〜０．３ｍｍとなっている。
　その他の構成は第１実施例と同様であるから、同じ部分に同じ符号を振り、説明は省略する。
【００２１】
　この第２実施例においては、座部２ｂの前面を躯体Ａに当接させ、取付け用ねじ４を雄ねじ筒部２ａの通孔２３を通して躯体Ａにねじ込む。これにより取付け用ねじ４のねじ込みに伴って座部２ｂは躯体表面ａに押し付けられ、環状突起２４が躯体表面ａに食い込む。環状突起２４が座部の縁にあると強力な食い込み固定に状態になるが、環状突起２４の内側にこれよりも高さの低いフラット状台部２５があるため、環状突起２４の食い込み度合いは内側にあるフラット状台部２５の躯体表面ａへの当接で調整される。
【００２２】
　枠Ｃの躯体Ａに対する間隔を調整する場合には、図９（ａ）のようにレンチなどの工具Ｋを、調整金具本体２の雄ねじ筒部２ａに設けられている角穴２１に嵌め、トルクを付与する。こうすれば、座部２ｂの環状突起２４よりも内側の台部２５が躯体表面ａと接しているため、前記トルクによって座部２ｂと雄ねじ筒部２ａは、取付け用ねじ４を中心として摺動回動する。
　取付け用ねじ４は回動しないので躯体Ａに対する調整金具本体２の取り付けが緩むことはなく、環状突起２４部分が躯体表面ａに食い込んでリング状の溝ができるので、ＸおよびＹ方向へのずれ止めを図ることができる。
【図面の簡単な説明】
【００２３】
【図１】本考案による枠調整金具の使用状態を示す正面図である。
【図２】調整金具本体の第１実施例を示す斜視図である。
【図３】同じく第１実施例の調整金具本体の縦断側面図である。
【図４】第１実施例の調整金具本体の正面図である。
【図５】（ａ）は調整状態の縦断側面図、（ｂ）は調整完了状態の縦断側面図である。
【図６】調整金具本体の第２実施例を示す斜視図である。
【図７】第２実施例の調整金具本体の縦断側面図である。
【図８】第２実施例の調整金具本体の正面図である。
【図９】（ａ）は調整状態の縦断側面図、（ｂ）は調整完了状態の縦断側面図である。
【符号の説明】
【００２４】
　　２　　調整金具本体
　２ａ　雄ねじ筒部
　２ｂ　座部
　３　　　雌ねじ体
　２０　雄ねじ
　２１　角穴
　２４　環状突起
　２５　台部
　４　　取付けねじ
【図１】
0003099632.tif 000003
【図２】
0003099632.tif 000004
【図３】
0003099632.tif 000005
【図４】
0003099632.tif 000006
【図５】
0003099632.tif 000007
【図６】
0003099632.tif 000008
【図７】
0003099632.tif 000009
【図８】
0003099632.tif 000010
【図９】
0003099632.tif 000011